(57)【特許請求の範囲】
【請求項１】
バーナー本体と、液体燃料を気化する気化手段と、を少なくとも備える携帯用液体燃料バーナーであって、
前記バーナー本体には、前記液体燃料を拡散させる拡散室と、前記気化手段により得られる気化燃料を前記拡散室の内部に放出する燃料放出管と、前記拡散室の内部において前記燃料放出管の燃料放出口に対向して配置されている拡散板と、前記燃料放出管と前記拡散板とを接続する接続部材と、が設けられている携帯用液体燃料バーナー。
【請求項２】
前記拡散板は、前記燃料放出口に対して凸となる円錐形の形状を有していることを特徴とする請求項１に記載された携帯用液体燃料バーナー。
【発明の詳細な説明】
【０００１】
【発明の属する技術分野】
本発明は、携帯用液体燃料バーナーに関する。特に、屋外で利用される携帯用コンロにおける液体燃料バーナーに関する。
【０００２】
【従来の技術】
屋外で利用される携帯用コンロにおける液体燃料バーナーは、液体燃料を蓄えておく液体燃料タンクと、該液体燃料タンクから供給される液体燃料をバーナーの炎や電熱器等によって気化する気化手段と、該気化手段により得られる気化燃料を燃焼するバーナーヘッドからなるのが一般的である。
【０００３】
そして、従来の携帯用液体燃料バーナーは、液体燃料を該気化手段により気化し、該気化燃料を単にバーナーヘッドに送り、燃焼させるという技術を採用していた。
【０００４】
【発明が解決しようとする課題】
しかしながら、このような従来技術の下では、気化手段により得られた気化燃料を拡散し、効率的に燃焼させることは困難であった。
【０００５】
そこで、本願発明は、携帯用液体燃料バーナーのバーナー本体に気化燃料を拡散する拡散手段を設けることにより、気化手段により得られる気化燃料を拡散することで、気化燃料を効率的に燃焼させることを目的とする。
【０００６】
【課題を解決するための手段】
以上のような課題を解決するため、本願発明は、バーナー本体と、液体燃料を気化する気化手段と、を少なくとも備える携帯用液体燃料バーナーであって、前記バーナー本体には、前記液体燃料を拡散させる拡散室と、前記気化手段により得られる気化燃料を前記拡散室の内部に放出する燃料放出管と、前記拡散室の内部において前記燃料放出管の燃料放出口に対向して配置されている拡散板と、前記燃料放出管と前記拡散板とを接続する接続部材と、が設けられている携帯用液体燃料バーナーを提供する。
【０００７】
携帯用液体燃料バーナーとしては、液体燃料タンクとバーナー本体とを分離させ、これらをホース等で連結した構成のものや液体燃料タンクの上部にバーナー本体を設けた構成のもの等がある。
【０００８】
気化手段としては、バーナーの炎を利用して気化管を熱し、該気化管の内部を通過する液体燃料を加熱して、該液体燃料を気化するものや気化管の外部に電熱線等の電熱器を設けて液体燃料を加熱して、該液体燃料を気化するもの等がある。
【０００９】
そして、液体燃料タンクから供給される液体燃料をこれらの気化手段により気化し、気化燃料とする。
【００１５】
このようにして設けられる拡散板としては、全体として板状のものを用いることも可能であり、また、燃料放出管の燃料放出口に対して凸となる円錐形の形状のものを用いることも可能である。
【００１６】
また、拡散板は、燃料放出管の燃料放出口から放出される気化燃料を衝突させて拡散する必要上、該燃料放出口から所定の間隔をあけて設けられている必要がある。
【００１７】
このように、燃料放出口から放出される気化燃料を拡散板に衝突させることにより、気化燃料を拡散室の内部に充分に拡散させることができるようになる。
【００１８】
【発明の実施の形態】
以上に記載された本願に係る発明を図１乃至図１０を参照して説明する。
【００１９】
図１は、本願発明の第一の実施形態に係る携帯用液体燃料バーナー１０の側面図である。また、図２は、本願発明の第一の実施形態に係る携帯用液体燃料バーナー１０におけるバーナー本体１ａの縦断面図である。
【００２０】
本願発明の第一の実施形態に係る携帯用液体燃料バーナー１０は、図１に表されているように、液体燃料タンク３に蓄えられている液体燃料を気化管２により気化し気化燃料とした後、該気化燃料をバーナー本体１に送るようにしている。
【００２１】
なお、符号５は、バーナー本体１ａを支える脚部材である。
【００２２】
また、図２に表されているように、バーナー本体１ａは、バーナーヘッド６と拡散室７と燃料放出管８ａとからなり、上述の気化管２により気化された液体燃料を燃料放出管８ａに送り、拡散室７で拡散した後、バーナーヘッド６で燃焼させるものである。
【００２３】
燃料放出管８ａには、拡散室７の壁面９と対向するように燃料放出口１１ａが設けられている。
【００２４】
燃料放出管８ａの燃料放出口１１ａと壁面９との距離Ｄａは、燃料放出口１１ａから放出される気化燃料が、壁面９に衝突し、拡散し得る程度に離れていればよい。
【００２５】
このような構成により、図２の点線で示されているように、燃料放出管８ａの燃料放出口１１ａから放出された気化燃料は壁面９に衝突し、拡散されるので、気化燃料を容易に燃焼することができるようになる。
【００２６】
なお、本実施形態に係る液体燃料タンク３は、ポンプ１５ａを往復動させることにより、液体燃料タンク３内が加圧される仕組みとなっており、このようにして加圧された液体燃料が液体燃料ホース４内を通じて、気化管２に流れ込み、気化管２により気化された液体燃料が、燃料放出管８ａに供給され、燃料放出口１１ａから、拡散室７の内部に放出されるようになっている。
【００２７】
また、燃料放出管８ａと気化室７とは、燃料放出管８ａのぐらつきを防止するため、しっかりと溶接等しておく必要がある。
【００２８】
図３は、本願発明の第二の実施形態に係る携帯用液体燃料バーナーのバーナー本体１ｂの縦断面図である。図４は、本願発明の第二の実施形態に係る携帯用液体燃料バーナーのバーナー本体１ｂにおける燃料放出管８ｂの変形例の縦断面図である。
【００２９】
本実施形態に係るバーナー本体１ｂにおける燃料放出管８ｂにおいては、燃料放出口１１ｂが拡散室７の底面１２に対向するように設けられている。
【００３０】
即ち、燃料放出口１１ｂから放出される気化燃料が底面１２と衝突し、拡散するようにされており、その他の構成は、本願発明の第一の実施形態に係る携帯用液体燃料バーナーの場合と同様である。
【００３１】
本実施形態においても、燃料放出口１１ｂと底面１２との距離Ｄｂは、燃料放出口１１ｂから放出される気化燃料が底面１２と衝突し、拡散し得る程度の間隔があればよい。
【００３２】
本実施形態を以上のように構成したので、図３の点線で表したように、燃料放出口１１ｂから放出された気化燃料を気化室７の底面１２に衝突させ、拡散させることにより、効率的に燃焼させることができるようになる。
【００３３】
なお、燃料放出管８ｂについては、図４に示されているように、燃料放出管８ｂの側壁１６を燃料放出口１１ｂに向かって傾斜するように形成することもできる。
【００３４】
このように、燃料放出管８ｂの側壁１６を形成することにより、気化管により得られる気化燃料が、燃料放出管８ｂの側壁１６に衝突し、燃料放出口１１ｂに向かうようになる。
【００３５】
図５は、本願発明の第三の実施形態に係る携帯用液体燃料バーナーのバーナー本体１ｃの縦断面図である。
【００３６】
本実施形態においては、本願発明の第一の実施形態に係る携帯用液体燃料バーナー１０のバーナー本体１ａが、拡散室７の壁面９に気化燃料を衝突させ、拡散させることとしているのに対して、燃料放出口１１ｃに対向するように拡散板１３ａを設け、該拡散板１３ａに気化燃料を衝突させ、拡散させている点で異なっているが、他の構成は、本願発明の第一の実施形態に係る携帯用液体燃料バーナー１０と同様である。
【００３７】
本実施形態においては、燃料放出管８ｃの燃料放出口１１ｃに相対する壁面９に拡散板１３ａが取り付けられている。
【００３８】
該拡散板１３ａは、燃料放出口１１ｃに対して凸となる円錐形の形状となっている。
【００３９】
このような形状の拡散板１３ａが設けられていることにより、該拡散板１３ａに衝突した液体燃料が上下左右方向に均等に拡散され、気化燃料をバーナーヘッド６において容易に燃焼させることができるようになる。
【００４０】
図６は、本願発明の第四の実施形態に係る携帯用液体燃料バーナーのバーナー本体１ｄの縦断面図である。また、図７及び図８は、本願発明の第四の実施形態に係る携帯用液体燃料バーナーのバーナー本体１ｄの変形例を表す縦断面図である。
【００４１】
本願発明の第三の実施形態では、拡散板１３ａを拡散室７の壁面９に取り付けたのに対して、本実施形態においては、拡散板１３ｂを燃料放出管８ｄに取り付けているが、他の構成は、第三の実施形態と同様である。
【００４２】
燃料放出管８ｄには、該燃料放出管８ｄの燃料放出口１１ｄから放出される液体燃料を拡散するための拡散板１３ｂが、接続部材１４を用いて取り付けられている。
【００４３】
該拡散板１３ｂは、燃料放出管８ｄの燃料放出口１１ｄに対して凸となる円錐形の形状を有している。
【００４４】
もっとも、該拡散板１３ｂとしては、図７に示すように、板状の拡散板１３ｃを上方、即ちバーナーヘッド６の方を向くように傾斜させて取り付けることも可能であり、また、図８に示すように、板状の拡散板１３ｄを下方、即ち底面１２の方を向くように構成することも可能である。
【００４５】
また、本実施形態では、拡散板１３ｂを燃料供給管８ｄに取り付けるようにしていることから、該拡散板１３ｂを壁面９に取り付ける場合と比べて、該拡散板１３ｂを拡散室７の中央部に置くことが可能となるので、該拡散板１３ｂにより拡散された気化燃料が、拡散室７内に充分に分散することが可能となる。
【００４６】
以上のように本願発明の第四の実施形態に係る携帯用液体燃料バーナーのバーナー本体１ｄを構成したので、燃料放出管８ｄの燃料放出口１１ｄから放出された気化燃料が、拡散板１３ｂに衝突し、拡散されることにより、気化燃料を容易に燃焼することが可能となるとともに、第三の実施形態の場合と比べて、より拡散室７の中央部で気化燃料を拡散させることが可能となるため、より拡散室７内に気化燃料を分散して拡散することが可能となり、気化燃料を効率的に燃焼させることができるようになる。
【００４７】
図９は、本願発明の第四の実施形態に係る携帯用液体燃料バーナー２０の側面図である。また、図１０は、本願発明の第四の実施形態に係る携帯用液体燃料バーナー２０におけるバーナー本体１ｅの縦断面図である。
【００４８】
本実施形態に係る携帯用液体燃料バーナー２０は、バーナー本体１ｅの下方に液体燃料タンク３が設けられており、該液体燃料タンク３に充填されている液体燃料が気化管２により気化され、燃料放出管８ｅを通じて、燃料放出口１１ｅから、バーナー本体１ｅの拡散室７に供給されるようになっている。
【００４９】
本実施形態における燃料放出管８ｅは、バーナーヘッド６の下方に設けられている拡散室７の底面１２を貫通して、拡散室７の内部に入り込んでいる。
【００５０】
燃料放出管８ｅには、該燃料放出管８ｅの燃料放出口１１ｅに対向するように、拡散板１３ｅが接続部材１４を用いて取り付けられている。
【００５１】
拡散板１３ｅは、該拡散板１３ｅに衝突する液体燃料を左右方向に効率的に拡散することができるように、燃料放出管８ｅの燃料放出口１１ｅに対して凸となる円錐形の形状を有している。
【００５２】
なお、拡散板１３ｅは、以上のような形状に限られるわけではなく、例えば、板状のものを燃料放出口１１ｅに対向するように取り付けることもできる。
【００５３】
以上のように、本願発明の第四の実施形態に係る携帯用液体燃料バーナー２０を構成することにより、図１０の点線で示してあるように、燃料放出管８ｅから放出される気化燃料が拡散板１３ｅに衝突し、拡散することにより、気化した液体燃料を効率的に燃焼することが可能となる。
【００５４】
【発明の効果】
本願発明によれば、燃料放出管の燃料放出口から放出された気化燃料が、拡散室の壁面若しくは底面又は該燃料放出管の燃料放出口に対向するように取り付けられた拡散板に衝突して拡散するので、気化燃料を効率的に燃焼することが可能となる。
【００５５】
また、本願発明によれば、燃料放出管の燃料放出口から放出される気化燃料をバーナーヘッドにおいて容易に燃焼することが可能であることから、特に、バーナーヘッドへの点火時に容易に点火することが可能となり、さらに、気化管のプレヒート時間も短縮することができるようになる。
【図面の簡単な説明】
【図１】本願発明の第一の実施形態に係る携帯用液体燃料バーナー１０の側面図
【図２】本願発明の第一の実施形態に係る携帯用液体燃料バーナー１０におけるバーナー本体１ａの縦断面図
【図３】本願発明の第二の実施形態に係る携帯用液体燃料バーナーのバーナー本体１ｂの縦断面図
【図４】本願発明の第二の実施形態に係る携帯用液体燃料バーナーのバーナー本体１ｂにおける燃料放出管８ｂの変形例の縦断面図
【図５】本願発明の第三の実施形態に係る携帯用液体燃料バーナーのバーナー本体１ｃの縦断面図
【図６】本願発明の第三の実施形態に係る携帯用液体燃料バーナーのバーナー本体１ｃの変形例を表す縦断面図
【図７】本願発明の第三の実施形態に係る携帯用液体燃料バーナーのバーナー本体１ｃの変形例を表す縦断面図
【図８】本願発明の第三の実施形態に係る携帯用液体燃料バーナーのバーナー本体１ｃの変形例を表す縦断面図
【図９】本願発明の第四の実施形態に係る携帯用液体燃料バーナー２０の側面図
【図１０】本願発明の第四の実施形態に係る携帯用液体燃料バーナー２０におけるバーナー本体１ｅの縦断面図
【符号の説明】
１（１ａ〜１ｅ）  バーナー本体
２    気化管
３    液体燃料ボトル
４    液体燃料ホース
５    脚部
６    バーナーヘッド
７    拡散室
８（８ａ〜８ｅ）  燃料放出管
９    壁面
１０  本願発明の第一の実施形態に係る携帯用液体燃料バーナー
１１（１１ａ〜１１ｅ）  燃料放出口
１２  底面
１３（１３ａ〜１３ｅ）  拡散板
１４  補助部材
１５  ポンプ
２０  本願発明の第四の実施形態に係る携帯用液体燃料バーナー
【図１】
0004257043.tif 000002
【図２】
0004257043.tif 000003
【図３】
0004257043.tif 000004
【図４】
0004257043.tif 000005
【図５】
0004257043.tif 000006
【図６】
0004257043.tif 000007
【図７】
0004257043.tif 000008
【図８】
0004257043.tif 000009
【図９】
0004257043.tif 000010
【図１０】
0004257043.tif 000011